(57)【特許請求の範囲】
【請求項１】
原稿画像を読み取る読取手段と、
前記読取手段による読取の条件である読取条件を画面に表示し、前記読取条件の設定操作を受け付ける表示操作手段と、
前記表示操作手段で設定操作される前記読取条件に応じて、前記読取手段による前記原稿画像の読み取り開始後であって前記原稿画像の読取中に前記表示操作手段への電力供給を遮断するか否かを制御する制御手段と、を備え、
前記表示操作手段への電力供給は前記制御手段の制御に基づいて遮断される
ことを特徴とする画像読取装置。
【請求項２】
前記制御手段は、
前記読取条件が、前記原稿画像の読み取りに要すると推定される時間が所定の時間以上となる条件のときに、前記表示操作手段への電力供給を遮断するように制御する
ことを特徴とする請求項１に記載の画像読取装置。
【請求項３】
請求項１又は２に記載の画像読取装置を備えることを特徴とする画像形成装置。
【請求項４】
原稿の画像を読み取る画像読取装置と表示操作装置とを備える画像読取システムであって、
前記表示操作装置は、
読取条件を画面に表示し、前記読取条件の設定操作を受け付ける表示操作手段と、
前記表示操作手段で設定操作される前記読取条件に応じて、前記画像読取装置による前記原稿の画像読み取り開始後に前記表示操作手段への電力供給を遮断するか否かを制御する制御手段と、を備え、
前記表示操作手段への電力供給は前記制御手段の制御に基づいて遮断される
ことを特徴とする画像読取システム。
【発明の詳細な説明】
【技術分野】
【０００１】
本発明は、画像読取装置、画像形成装置及び画像読取システムに関する。
【背景技術】
【０００２】
スキャナ等の画像読取装置や、複写機等の画像形成装置には、ユーザがスキャン条件やコピー条件等を設定できる様に、例えば液晶ディスプレイに表示される条件設定画面等をタッチパネルで操作することが可能な表示パネルが設けられている。
【０００３】
スキャナや複写機等では、一定時間操作が無い場合等には省電力モードに移行し、表示パネル等への電力供給を遮断することで待機時等の電力消費量を低減する技術が従来から知られている。
【０００４】
また、表示パネルにおいてさらなる省電力化を達成するために、ユーザからの設定操作を受け付ける際にも、表示画面の一部のみに設定条件等を集約して表示し、他の部分を消灯状態に維持する表示装置が知られている（例えば特許文献１参照）。
【発明の概要】
【発明が解決しようとする課題】
【０００５】
ここで、ユーザからの操作を受け付けた後、あるいはスキャンやプリント等を開始した後は、一定時間が経過するまでの間、表示パネルへの電力供給を再開して画像を表示することで、動作状況等をユーザに知らせるのが一般的である。しかしながら、例えば大きいサイズの原稿読取や複写等には相応の時間が必要であり、その間に例え一部でも表示パネルに画像を表示していると、電力消費量が増大してしまう可能性がある。
【０００６】
本発明は上記に鑑みてなされたものであって、省電力化が可能な画像読取装置を提供することを目的とする。
【課題を解決するための手段】
【０００７】
本発明の一態様の画像読取装置によれば、原稿画像を読み取る読取手段と、前記読取手段による読取の条件である読取条件を画面に表示し、前記読取条件の設定操作を受け付ける表示操作手段と、前記表示操作手段で設定操作される前記読取条件に応じて、前記読取手段による前記原稿画像の読み取り開始後であって前記原稿画像の読取中に前記表示操作手段への電力供給を遮断するか否かを制御する制御手段と、を備え、前記表示操作手段への電力供給は前記制御手段の制御に基づいて遮断される。
【発明の効果】
【０００８】
本発明の実施形態によれば、省電力化が可能な画像読取装置を提供できる。
【図面の簡単な説明】
【０００９】
【図１】第１の実施形態に係る画像形成装置の概略構成を例示する図である。
【図２】第１の実施形態に係る表示部の外観構成を例示する図である。
【図３】第１の実施形態における表示パネルの表示例を示す図である。
【図４】第１の実施形態における操作部の機能構成を例示するブロック図である。
【図５】第１の実施形態に係る画像読取装置における画像読取モードのときの表示パネルの電力制御処理のうち、読取条件の設定のフローチャートを例示する図である。
【図６】第１の実施形態に係る画像形成装置における画像読取モードのときの表示パネルの電力制御処理のうち、画像読取のフローチャートを例示する図である。
【図７】第１の実施形態に係る画像読取装置における画像形成モードのときの表示パネルの電力制御処理のうち、画像形成条件の設定のフローチャートを例示する図である。
【図８】第１の実施形態に係る画像形成装置における画像形成モードのときの表示パネルの電力制御処理のうち、画像形成のフローチャートを例示する図である。
【図９】第１の実施形態において表示パネルへの電力供給を遮断する条件を例示する図である。
【図１０】第２の実施形態に係る画像読取システムの外観構成を例示する図である。
【図１１】第２の実施形態に係る画像読取システムのハードウェア構成を例示する図である。
【発明を実施するための形態】
【００１０】
以下、図面を参照して発明を実施するための形態について説明する。各図面において、同一構成部分には同一符号を付し、重複した説明を省略する場合がある。
【００１１】
［第１の実施形態］
＜画像形成装置の構成＞
図１は、第１の実施形態に係る画像形成装置１０の概略構成を例示する図である。
【００１２】
図１に示す様に、画像形成装置１０は、原稿画像を読み取る画像読取装置１００と、感光体１１、帯電装置１２、露光装置１３、現像装置１４、転写装置１５、分離装置１６、定着装置２０、ロール給紙装置３０、カセット給紙装置３１等を備える。
【００１３】
画像読取装置１００は、原稿台１０１に載置される原稿を搬送ローラ対１０２，１０３等で搬送し、画像読取部１０４が原稿画像を読み取り、原稿の画像データを取得する。画像読取装置１００の上面には、操作部１１０が設けられている。
【００１４】
画像読取部１０４は読取手段の一例であり、例えば密着センサ方式（CIS：Contact Image Sensor）で、光源としてのＬＥＤから光を照射し、反射光を集光してＣＭＯＳ等のイメージセンサで電気信号に変換することで、原稿画像の画像データを取得する。
【００１５】
操作部１１０は、液晶ディスプレイ及びタッチパネルで構成される表示パネルと、電源ボタンやスタートボタン等のハードキーとを有し、画像読取条件や画像形成条件等を表示パネルに表示してユーザからの操作を受け付ける。
【００１６】
画像形成装置１０は、画像読取装置１００が原稿から読み取った画像データ、若しくはネットワーク等で接続するＰＣから送信される画像データに基づいて、ロール紙又は枚葉紙に画像を印刷する。
【００１７】
画像を形成する際には、まず回転駆動する感光体１１の表面を帯電装置１２にて一様に帯電する。帯電装置１２は、例えばグリッド付きのスコロトロンチャージャであり、非接触で帯電処理を行い、感光体１１の表面を一様に帯電させる。
【００１８】
次に、表面が一様に帯電された感光体１１は、露光装置１３により印刷する画像データに対応する光が照射され、表面に静電潜像が形成される。露光装置１３は、例えばＬＥＤをアレイ状に並べたＬＥＤアレイにより、レンズアレイを介して画像データに対応する光を感光体１１に照射する。
【００１９】
感光体１１の表面に形成された静電潜像は、現像装置１４によってトナー像として現像される。現像装置１４は、帯電するトナーを内部に収容しており、感光体１１に対向する現像ローラがトナーを担持して回転している。現像ローラには電圧が印加され、感光体１１と現像ローラとの間に形成される電界によってトナーが感光体１１の静電潜像に付着する。
【００２０】
感光体１１上に形成されたトナー像は、感光体１１と転写装置１５との間に搬送されるロール紙等の用紙表面に転写される。トナー像が転写された用紙は、分離装置１６によって感光体１１から分離され、定着装置２０に搬送される。
【００２１】
定着装置２０は、加熱ローラ及び加圧ローラの間で用紙を加熱及び加圧することで、用紙にトナー像を定着させる。表面にトナー像が定着された用紙は、さらに搬送されて排紙トレイ２１に排出される。
【００２２】
＜操作部の構成＞
次に、画像読取装置１００の上面に設けられている操作部１１０の外観構成について、図２に基づいて説明する。
【００２３】
図２に示す様に、操作部１１０は、モード設定キー１１１、状態表示用ＬＥＤ１１２、電源ボタン１１３、スタートボタン１１４、表示パネル１３０等を備え、この他に"初期設定"、"リセット"、"プログラム"、"クリアストップ"、"試しコピー"、テンキー等の各種ハードキーを有する。
【００２４】
モード設定キー１１１は、画像形成装置１０が備える機能を設定するボタンであり、各モード設定キー１１１ａ〜１１１ｃは、それぞれ押下することでコピー機能、プリンタ機能、スキャナ機能を設定できる。モード設定キー１１１ａ〜１１１ｃを押下すると、例えば印刷する用紙、画像倍率、画像品質等、表示パネル１３０に各機能の設定内容が表示される。
【００２５】
状態表示用ＬＥＤ１１２は、それぞれＬＥＤが点灯することで画像形成装置１０の動作状態をユーザに通知することができる。例えばデータイン用ＬＥＤ１１２ａは、画像形成装置１０がプリントデータを受信している時に点灯する。また、アラーム用ＬＥＤ１１２ｂは、例えば画像形成装置１０の印刷時に紙詰まり等が発生した時に点灯し、画像形成装置１０又は画像読取装置１００等に異常が発生していることをユーザに通知する。スキャン用ＬＥＤ１１２ｃは、ＬＥＤを点灯させることで画像読取装置１００にて原稿画像の読み取り動作中であるであることを通知する。プリント用ＬＥＤ１１２ｄは、画像形成装置１０において用紙への印刷を行っていることをユーザに通知する。これらの状態表示用ＬＥＤ１１２により、表示パネル１３０に電力を供給して画像表示を行わずに、ユーザに画像形成装置１０や画像読取装置１００の状態を通知することができる。
【００２６】
電源ボタン１１３は、押されることで画像形成装置１０及び画像読取装置１００等の各部に電源が投入され、スタートボタン１１４は、ユーザに押下されることで、画像読取装置１００による原稿画像の読取、画像形成装置１０による用紙への画像形成が開始される。
【００２７】
表示パネル１３０は、画像形成装置１０におけるコピー機能、プリンタ機能、スキャン機能等の設定操作を受け付ける表示操作手段の一例であり、タッチパネル式の液晶ディスプレイである。なお、設定画像を表示するのは液晶ディスプレイに限らず、例えば有機ＥＬディスプレイ等の他の表示装置であっても良い。
【００２８】
図３は、第１の実施形態における表示パネル１３０の表示例であり、コピー機能の設定画面の一例を示している。
【００２９】
図３に示す様に、表示パネル１３０には、例えば現在の状態（「コピーできます」）、原稿の部数等が表示され、カラー／モノクロ設定、印刷するロール紙の幅、カット長さ、コピー倍率、原稿セット方向、仕上げ、編集等をユーザが設定するための画像等が表示される。ユーザは、タッチパネルに表示されている各部分に触って操作することで、各種条件を設定することができる。
【００３０】
図４は、第１の実施形態における操作部１１０の機能構成を例示するブロック図である。
【００３１】
図４に示す様に、操作部１１０は、制御部１１５、ＲＯＭ１１６、電力制御部１１７、表示パネル１３０のバックライト表示画面１３０ａ及びタッチパネル１３０ｂ、状態表示用ＬＥＤ１１２、電源ボタン１１３等を含むハードキー１１８、アラーム１１９を有する。
【００３２】
制御部１１５は、ＲＯＭ１１６に記憶されている設定値等に基づいてバックライト表示画面１３０ａに画像を表示し、タッチパネル１３０ｂ及びハードキー１１８からユーザの操作を受け付ける。また、制御部１１５は、状態表示用ＬＥＤ１１２、アラーム１１９等を制御する。
【００３３】
電力制御部１１７は、画像読取装置１００に設けられている電源に接続し、制御部１１５、表示パネル１３０のバックライト表示画面１３０ａ及びタッチパネル１３０ｂ等に電力を供給し、画像読取条件等に基づいてこれらへの電力供給を遮断する電力供給遮断手段として機能する。
【００３４】
バックライト表示画面１３０ａは、表示パネル１３０に各種設定条件等を表示する液晶ディスプレイであり、背面に設けられているバックライトに照射されることで画像を表示する。
【００３５】
タッチパネル１３０ｂは、バックライト表示画面１３０ａと一体に設けられており、バックライト表示画面１３０ａに表示されている画像に対してユーザに触れられた画面位置の情報を感知して制御部１１５に信号として出力する。
【００３６】
アラーム１１９は、画像読取装置１００又は画像形成装置１０において異常が発生した場合に、音を発することでユーザに異常を通知する。
【００３７】
＜表示パネルへの電力制御について＞
以上で説明した構成において、画像形成装置１０における動作に応じて表示パネル１３０への電力供給を遮断し、電力消費量を低減する方法について説明する。
【００３８】
図５は、第１の実施形態に係る画像読取装置１００における画像読取モードのときの表示パネル１３０の電力制御処理のうち、読取条件の設定のフローチャートの一例である。
【００３９】
まず、ステップＳ１にて、モード設定キー１１１ｃが押下されてスキャナ機能が選択された状態で、ユーザが表示パネル１３０に触れる（読取条件の設定操作が開始される）と、ステップＳ２にて、電力制御部１１７が表示パネル１３０に電力を供給しているか否かを判断する。
【００４０】
表示パネル１３０に電力が供給されていなかった場合には、ステップＳ３にて電力制御部１１７が表示パネル１３０への電力供給を開始する。表示パネル１３０に電力が供給されている場合には、表示パネル１３０に画面が表示されている状態で次に進む。
【００４１】
次に、ステップＳ４にて、電力が供給されている表示パネル１３０で、ユーザによる読取条件の設定が行われる。読取条件が設定された場合もされなかった場合も、ステップ５にて最後に表示パネル１３０が操作されてから予め設定された時間が経過したと判断された時に、ステップＳ６にて表示パネル１３０への電力供給を遮断する。
【００４２】
また、図６は画像読取モードのときの表示パネル１３０の電力制御処理のうち、画像読取のフローチャートの一例である。
【００４３】
図６に示す様に、ステップＳ１１にて読取開始ボタン（スタートボタン１１４）が押下されると、ステップＳ１２にて、そのときに設定されている読取条件を読み出して取得する。ここで、設定されている読取条件は、前回の画像読取前に設定された読取条件の場合もあれば、今回の画像読取のために図６のフロー開始直前に設定された読取条件の場合もある。また、リセットされた初期の読取条件の場合もある。
【００４４】
続いて、ステップＳ１３にて読み出した読取条件に基づいて画像の読み取りを開始する。
【００４５】
ここで、ステップＳ１４にて表示パネル１３０への電力供給が行われている場合には、ステップＳ１５にて読取条件が表示パネル１３０への電力供給を遮断する条件（電力供給遮断条件）に合致するか否かが判断される。読取条件が電力供給遮断条件に合致する場合には、ステップＳ１６にて、読取開始後であって読取実行中に表示パネル１３０への電力供給を遮断する。この状態でステップＳ１７にて画像読取の終了時点で処理を終了する。
【００４６】
図５又は図６に例示する処理により、画像読取条件に応じて表示パネル１３０への電力供給を遮断することで、必要以上に電力が消費されるのを防止できる。また、表示パネル１３０への電力供給を遮断した状態で読取が開始された場合には、引き続き表示パネル１３０への電力供給を遮断した状態で連続して画像読取を行うことが可能である。したがって、表示パネル１３０における電力消費をさらに削減することができる。
【００４７】
図７は、第１の実施形態に係る画像形成装置１０における画像形成モードのときの表示パネル１３０の電力制御処理のうち画像形成条件の設定のフローチャートの一例である。
【００４８】
まず、ステップＳ２１にて、モード設定キー１１１ａが押下されてコピー機能が選択された状態で、ユーザが表示パネル１３０に触れる（読取条件の設定操作が開始される）と、ステップＳ２２にて、電力制御部１１７が表示パネル１３０に電力を供給しているか否かを判断する。
【００４９】
表示パネル１３０に電力が供給されていなかった場合には、ステップＳ２３にて電力制御部１１７が表示パネル１３０への電力供給を開始する。表示パネル１３０に電力が供給されている場合には、表示パネル１３０に画面が表示されている状態で次に進む。
【００５０】
次に、ステップＳ２４にて、電力が供給されている表示パネル１３０で、ユーザによるコピー条件の設定が行われる。コピー条件が設定された場合もされなかった場合も、ステップＳ２５にて最後に表示パネル１３０が操作されてから予め設定された時間が経過したと判断されると、ステップＳ２６にて表示パネル１３０への電力供給を遮断する。
【００５１】
また、図８は画像形成モードのときの表示パネル１３０の電力制御処理のうち画像形成のフローチャートの一例を示す図である。
【００５２】
図８に示す様に、ステップＳ３１にてコピー開始ボタン（スタートボタン１１４）が押下されると、ステップＳ３２にて、そのときに設定されている読取条件を読み出して取得する。ここで、設定されている読取条件は、前回の画像読取前に設定された読取条件の場合もあれば、今回の画像読取のために図８のフロー開始直前に設定された読取条件の場合もある。また、リセットされた初期の読取条件の場合もある。
【００５３】
続いて、ステップＳ３３にて読み出した読取条件に基づいて画像の読み取りを開始する。
【００５４】
ここで、ステップＳ３４にて表示パネル１３０への電力供給が行われている場合には、ステップＳ３５にて読取条件が表示パネル１３０への電力供給を遮断する条件（電力供給遮断条件）に合致するか否かが判断される。読取条件が電力供給遮断条件に合致する場合には、ステップＳ３６にて、読取開始後であって読取実行中に表示パネル１３０への電力供給を遮断する。この状態でステップＳ３７にて画像読取を行い、続いてステップＳ３８にて画像のコピーを実行して処理を終了する。
【００５５】
図７又は図８に例示する処理により、コピー時の原稿読取条件に応じて表示パネル１３０への電力供給を遮断することで、必要以上に電力が消費されるのを防止できる。また、表示パネル１３０への電力供給を遮断した状態でコピーを開始する場合には、引き続き表示パネル１３０への電力供給を遮断した状態で連続して画像読取及びコピーを行うことが可能である。したがって、表示パネル１３０における電力消費をさらに削減することができる。
【００５６】
図９は、第１の実施形態において表示パネル１３０への電力供給を遮断する条件を例示する図である。図９（ａ）はモノクロ画像の読取時、図９（ｂ）はカラー画像の読取時において、本実施形態において表示パネル１３０への電力供給を遮断する用紙の定型サイズと変倍率の設定条件に「○」を付して示している。
【００５７】
本実施形態では、用紙長が１０００ｍｍのモノクロ画像を読み取る時の読取時間を基準に、表示パネル１３０への電力供給を遮断する条件を設定している。
【００５８】
図９（ａ）に示す様に、各用紙サイズにおいて、変倍後の用紙長が１０００ｍｍを超える条件の時に、画像読取開始後に表示パネル１３０への電力供給を遮断する様に設定している。
【００５９】
また、カラー画像の読取時には、モノクロ画像の読取時に比べて同じ用紙長の画像を読み取るのに約１．５倍の時間を要することから、変倍後の用紙長が約７００ｍｍを超える条件の時に、画像読取開始後に表示パネル１３０への電力供給を遮断する様に設定している。
【００６０】
なお、画像読取開始後に表示パネル１３０への電力供給を遮断する条件は、図９に示す例に限るものではなく、読取時間に基づいて適宜設定することができる。例えば、画像形成装置１０が原稿送り装置（ＡＤＦ）を有し、ＡＤＦにセットされている原稿の枚数から、読取時間を算出し、一定以上の時間を要する場合には表示パネル１３０への電力供給を遮断する様に設けても良い。また、画像読取開始後に表示パネル１３０への電力供給を遮断するまでの時間は、例えば１秒等に適宜設定することができる。
【００６１】
以上で説明した様に、第１の実施形態に係る画像読取装置１００及び画像形成装置１０によれば、例えばスキャン時、コピー時等に画像を読み取る条件に応じて表示パネルへの電力供給を遮断することで、無駄に電力が消費されるのを防止し、省電力化することが可能である。
【００６２】
なお、第１の実施形態に係る画像形成装置１０は、電子写真方式によって用紙に画像を形成するが、例えばインクジェット方式等、他の方式で用紙等の記録媒体に画像を形成する様に構成しても良い。
【００６３】
[第２の実施形態]
次に、第２の実施形態について図面に基づいて説明する。なお、既に説明した実施形態と同一構成部分についての説明は省略する。
【００６４】
図１０は、第２の実施形態に係る画像読取システム７００の外観構成を例示する図である。
【００６５】
図１０に示す様に、画像読取システム７００は、画像読取装置１００と、情報処理装置６００とを有し、画像読取装置１００と情報処理装置６００とは専用線６１０により接続されている。
【００６６】
画像読取装置１００は、原稿台１０１に載置される原稿を搬送ローラ対１０２，１０３等で搬送し、画像読取部１０４が原稿を読み取り、原稿の画像データを取得する。
【００６７】
画像読取部１０４は読取手段の一例であり、例えば密着センサ方式（CIS：Contact Image Sensor）で、光源としてのＬＥＤから光を照射し、反射光を集光してＣＭＯＳ等のイメージセンサで電気信号に変換することで、原稿画像の画像データを取得する。
【００６８】
情報処理装置６００は、画像読取装置１００の設定操作等が可能な表示パネル１３０を供える操作部１１０を有している。
【００６９】
図１１は、第２の実施形態に係る画像読取システム７００のハードウェア構成を例示する図である。
【００７０】
画像読取装置１００は、画像読取部１０４、ＣＰＵ１２０、ＲＯＭ１２１、Ｉ／Ｆ部１２２を有し、それぞれがバスＢ１で相互に接続されている。
【００７１】
ＣＰＵ１２０は、コンピュータの中で制御やデータの演算、加工を行い、ＲＯＭ１２１等に記憶されたプログラムを実行する演算装置であり、画像読取部１０４の動作を制御する制御部である。
【００７２】
ＲＯＭ１２１は、電源を切っても内部データを保持することができる不揮発性の半導体メモリ（記憶装置）であり、画像読取の設定等を記憶している。
【００７３】
Ｉ／Ｆ部１２２は、情報処理装置６００に接続するための手段であり、専用線６１０により情報処理装置６００のＩ／Ｆ部６０１に接続される。
【００７４】
情報処理装置６００は、電源制御部１１７、Ｉ／Ｆ部６０１、ＣＰＵ６０２、表示パネル１３０を供える操作部６０３、ＲＯＭ６０４、ＨＤＤ６０５、ＲＡＭ６０６、ネットワークＩ／Ｆ部６０７を有し、それぞれがバスＢ２で相互に接続されている。また、情報処理装置６００は、専用線６１０を介して画像読取装置１００に接続する。
【００７５】
操作部６０３は、タッチパネル機能を備える液晶ディスプレイである表示パネル１３０を備え、ユーザは表示パネル１３０に表示される設定条件等に触れることで、画像読取装置１００の読取条件の設定等を行うことができる。なお、表示パネル１３０は、液晶ディスプレイに限るものではなく、例えば有機ＥＬディスプレイ等の表示装置であっても良い。
【００７６】
電源制御部１１７は、画像読取装置１００による画像読取開始後に、読取条件に基づいて操作部６０３の表示パネル１３０への電力供給を遮断する電力供給遮断手段である。
【００７７】
Ｉ／Ｆ部６０１は、情報処理装置６００が画像読取装置１００に接続するための手段であり、専用線６１０により画像読取装置１００のＩ／Ｆ部１２２に接続される。なお、画像読取装置１００と、情報処理装置６００とは、専用線６１０ではなく、例えばネットワーク等を介して接続する様に構成しても良い。
【００７８】
ＣＰＵ６０２は、コンピュータの中で制御やデータの演算、加工を行い、ＲＯＭ６０４、ＲＡＭ６０６等に記憶されたプログラムを実行する演算装置である。
【００７９】
ＲＯＭ６０４は、電源を切っても内部データを保持することができる不揮発性の半導体メモリ（記憶装置）である。また、ＲＡＭ６０６は、プログラムやデータ等を一時保持する揮発性の半導体メモリ（記憶装置）であり、操作部６０３の表示パネル１３０への電源供給を遮断する画像読取条件等を保存している。
【００８０】
ＨＤＤ６０５は、各種プログラム及びデータを格納する不揮発性の記憶装置である。格納されるプログラム及びデータとしては、例えば、ＯＳ（Operating System））や各種機能を提供するアプリケーション等がある。
【００８１】
ネットワークＩ／Ｆ部６０７は、有線及び／又は無線回線等のデータ伝送路により構築されたＬＡＮ、ＷＡＮ等のネットワークを介して接続される通信機能を有する周辺機器とのインターフェースである。
【００８２】
この様な構成を有する画像読取システム７００では、情報処理装置６００の操作部６０３の表示パネル１３０にて、ユーザから画像読取装置１００の画像読取条件等を受け付け、画像読取条件に基づいて、電源制御部１１７が表示パネル１３０への電力供給を遮断する。
【００８３】
電源制御部１１７が表示パネル１３０への電力供給を遮断する画像読取条件は、第１の実施形態と同様に、例えば図７に示す様に、画像読取装置１００における画像読取に要する時間に基づいて、用紙サイズ、変倍率等の条件を適宜設定することが可能である。
【００８４】
この様に、第２の実施形態に係る画像読取システム７００によれば、例えばスキャン時に画像を読み取る条件に応じて操作部６０３の表示パネル１３０への電力供給を遮断することで、無駄に電力が消費されるのを防止し、省電力化することが可能である。
【００８５】
以上、本発明の実施形態について説明したが、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【００８６】
１０  画像形成装置
１００  画像読取装置
１０４  画像読取部（読取手段）
１１２  ＬＥＤ（光源）
１１７  電源制御部（電力供給遮断手段）
１３０  表示パネル（表示操作手段）
７００  画像読取システム
【先行技術文献】
【特許文献】
【００８７】
【特許文献１】特開２０１１−９５９１３号公報
【図１】
0005929390.tif 000002
【図２】
0005929390.tif 000003
【図３】
0005929390.tif 000004
【図４】
0005929390.tif 000005
【図５】
0005929390.tif 000006
【図６】
0005929390.tif 000007
【図７】
0005929390.tif 000008
【図８】
0005929390.tif 000009
【図９】
0005929390.tif 000010
【図１０】
0005929390.tif 000011
【図１１】
0005929390.tif 000012